(57)【要約】【課題】  光増幅器の稼動状態を遠隔地から１つの制御装置によって同時に管理することのできる光増幅中継伝送システムを提供すること。【解決手段】  光増幅器、コンピュータ端末装置及び集中制御装置を有する光増幅中継伝送システムであって、１又は複数台の前記光増幅器が前記コンピュータ端末装置によって制御され、１又は複数台の前記コンピュータ端末装置が前記集中制御装置によって制御されることを特徴とする光増幅中継伝送システム。【選択図】        図１
2005184111.tif 000002
【特許請求の範囲】
【請求項１】
光増幅器、コンピュータ端末装置及び集中制御装置を有する光増幅中継伝送システムであって、１又は複数の前記光増幅器が前記コンピュータ端末装置によって制御され、１又は複数の前記コンピュータ端末装置が前記集中制御装置によって制御されることを特徴とする光増幅中継伝送システム。
【請求項２】
前記コンピュータ端末装置から前記光増幅器に稼動状況を定期的あるいは所定時にに問い合せ、その回答として稼動情報が前記光増幅器から前記コンピュータ端末装置に送信され、前記稼動情報が異常である場合には、前記コンピュータ端末装置から前記集中制御装置に異常情報が送信されることを特徴とする請求項１記載の光増幅中継伝送システム。
【請求項３】
請求項２記載の光増幅中継伝送システムにおいて、前記コンピュータ端末装置のアドレスを設定するステップと、前記コンピュータ端末装置に前記光増幅器を認識させるステップとを実行した後に、前記コンピュータ端末装置から前記光増幅器に稼動状況を問い合せるステップと、前記コンピュータ端末装置が前記光増幅器からの稼動情報を受信するステップと、前記コンピュータ端末装置が前記稼動情報が異常かどうかを判断するステップと、前記コンピュータ端末装置が前記集中制御装置に異常情報を送信するステップとを順次実行することを特徴とする前記コンピュータ端末装置の制御方法。
【請求項４】
前記光増幅器で増幅され伝送される光信号の経路と、前記光増幅器と前記コンピュータ端末装置間で伝送される制御信号の経路と、前記コンピュータ端末装置と前記集中制御装置間で伝送される制御信号の経路とを別経路としたことを特徴とする請求項１乃至３何れかに記載の光増幅中継伝送システム。
【発明の詳細な説明】
【技術分野】
【０００１】
本発明は、遠隔地から光増幅器を制御することのできる光増幅中継伝送システムに関するものである。さらに詳しくは、離間した場所に多数設置されている光増幅器を統一的に制御することのできる光増幅中継伝送システムに関するものである。
【背景技術】
【０００２】
インターネットの発展により、近年、ブロードバンドと呼ばれる高速インターネット接続の普及が目覚しく、高速インターネット接続を支えるインフラとして光ファイバ伝送システムの設置が進められている。光ファイバ伝送システムにおいては、幹線系の中継用として、或いは加入者系の分岐補償用として、エルビウムドープファイバ増幅器を代表とする光増幅器が広く利用されており、光増幅中継伝送システムが構築されている。
【０００３】
この光増幅中継伝送システムは年々大規模化、すなわち伝送用光ファイバの多芯化、増幅段の多段化が進んでおり、それに伴って、システム中の光増幅器の数が増え、さらにそれら光増幅器の多くは長距離通信の中継増幅用として使用されるため、光増幅器は各中継段の間隔となる約数十ｋｍずつ離間した場所に設置される。そこで、光増幅中継伝送システム全体を管理するために、システム中に多数設置される光増幅器を統一的に制御することが求められている。
【０００４】
特許文献１には、複数の個別光増幅器を並列に接続して広帯域の光信号を一括増幅する光増幅器において、一部の個別光増幅器が異常となったときに、光増幅器全体の出力光を遮断すること、具体的には、一部の個別光増幅器が故障の際に光増幅器から送られる故障通知信号を光増幅制御回路が受け取り、各光増幅器の光を一斉に遮断するよう、光増幅制御回路から各光増幅器に遮断信号を出力することによる光増幅中継伝送システム内の光増幅器の制御方法が開示されている。
【特許文献１】特開平１１−２９８４０９号公報
【発明の開示】
【発明が解決しようとする課題】
【０００５】
しかしながら、多芯・多段である大規模な光増幅中継伝送システムにおいては、各中継段である離間した場所に設置されている多数の光増幅器を制御する必要があるにもかかわらず、上記の場合、光増幅制御回路から個別光増幅器を制御するためには、光増幅制御回路に対し個別光増幅器を直接接続せざるを得ず、個別光増幅器と光増幅制御回路との間の制御信号線が個別光増幅器毎に光増幅制御回路との距離分必要となる点及び光増幅制御回路に個別光増幅器毎の接続端子が必要になる点において、光増幅中継伝送システムの規模が大きくなるほど個別光増幅器と光増幅制御回路とを接続する困難さが増し、光増幅器を統一的に制御することができなかった。
【０００６】
従って本発明は上記の問題に鑑み、大規模な光増幅中継伝送システムにおける光増幅器の制御方法、特に離間した場所に多数設置されている光増幅器に対し統一的に制御された光増幅中継伝送システムを提供することを目的としている。
【課題を解決するための手段】
【０００７】
上記の問題を解決するために、請求項１記載の光増幅中継伝送システムは、光増幅器、コンピュータ端末装置及び集中制御装置を有する光増幅中継伝送システムであって、１又は複数の前記光増幅器が前記コンピュータ端末装置によって制御され、１又は複数の前記コンピュータ端末装置が前記集中制御装置によって制御されることを特徴とするものである。
【０００８】
上記構成によれば、離間した場所に設置されている多数の光増幅器を、コンピュータ端末装置を介することによって、１つの制御装置によって制御することができるので、光増幅中継伝送システム全体を集中管理することができ統一的に制御することが可能となる。また、上記構成によれば、離間した場所に設置されている多数の光増幅器のうち、同じ建屋内にある光増幅器を制御信号線でコンピュータ端末装置に接続し、離間した場所毎のコンピュータ端末装置をコンピュータ端末装置と集中制御装置との間の制御信号線であるインターネット、イントラネット等のコンピュータネットワークによって集中制御装置に接続することができるため、集中制御装置に個別光増幅器を直接接続する場合と比較して、集中制御装置に備えるべき接続端子数を減少させることができるし、制御信号線の総配線長を短尺化することができる。
【０００９】
請求項２記載の光増幅中継伝送システムは、請求項１記載の光増幅中継伝送システムにおいて、前記コンピュータ端末装置から前記光増幅器に稼動状況を定期的あるいは所定時に問い合せ、その回答として稼動情報が前記光増幅器から前記コンピュータ端末装置に送信され、前記稼動情報が異常である場合には、前記コンピュータ端末装置から前記集中制御装置に異常情報が送信されることを特徴とするものである。
【００１０】
上記構成によれば、或る１つの制御装置に対しコンピュータ端末装置を介して各光増幅器からの異常情報が送信され、１つの制御装置に異常情報が表示あるいは蓄積されることによって、光増幅中継伝送システム全体の異常に関して集中管理することができ統一的に制御することが可能となる。また、上記構成によれば、コンピュータ端末装置から集中制御装置へ送信される異常情報の情報量は、各光増幅器からコンピュータ端末装置へ送信される稼動情報の情報量に比して、格段に小さい。すなわち、各光増幅器から送信される全稼動情報を集中制御装置へ送信する場合と比べて、コンピュータ端末装置から集中制御装置への送信情報量を低減することができる。
【００１１】
請求項３記載のコンピュータ端末装置の制御方法は、請求項２記載の光増幅中継伝送システムにおいて、前記コンピュータ端末装置のアドレスを設定するステップと、前記コンピュータ端末装置に前記光増幅器を認識させる認識させるステップとを実行した後に、前記コンピュータ端末装置から前記光増幅器に稼動状況を問い合せるステップと、前記コンピュータ端末装置が前記光増幅器からの稼動情報を受信するステップと、前記コンピュータ端末装置が前記稼動情報が異常かどうかを判断するステップと、前記コンピュータ端末装置が前記集中制御装置に異常情報を送信するステップとを順次実行することを特徴とするものである。
【００１２】
上記構成によれば、光増幅器から送信される稼動情報を元にして異常情報を生成し集中制御装置に送信することを、コンピュータ端末装置の制御方法を設定することによって実現できる。
【００１３】
請求項４記載の光増幅中継伝送システムは、請求項１乃至３何れかに記載の光増幅中継伝送システムにおいて、前記光増幅器で増幅され伝送される光信号の経路と、前記光増幅器と前記コンピュータ端末装置間で伝送される制御信号の経路と、前記コンピュータ端末装置と前記集中制御装置間で伝送される制御信号の経路とを別経路としたことを特徴とするものである。
【００１４】
上記構成によれば、光増幅器で増幅され伝送される光信号と制御信号を別経路としているため、制御信号の伝送情報量が増え、伝送経路の負荷が増大したとしても、光増幅器で増幅され伝送される光信号の伝送品質に影響が及ぶことなく、安定した品質の光増幅中継伝送をすることが可能となる。また、制御信号においても、光増幅器とコンピュータ端末装置間の信号と、コンピュータ端末装置と集中制御装置間の信号を別経路としているため、伝送情報量に適した伝送媒体或いは帯域の設定が可能であるし、コンピュータ端末装置と集中制御装置間で伝送される制御信号の伝送情報量が増え、伝送経路の負荷が増大したとしても、光増幅器とコンピュータ端末装置間を伝送される制御の伝送品質に影響が及ぶことなく、コンピュータ端末装置による光増幅器の制御を行うことが可能である。
【発明の効果】
【００１５】
本発明の光増幅中継伝送システムは、光増幅器、コンピュータ端末装置及び集中制御装置を有する光増幅中継伝送システムであって、１又は複数の前記光増幅器が前記コンピュータ端末装置によって制御され、１又は複数の前記コンピュータ端末装置が前記集中制御装置によって制御されることにより、光増幅中継伝送システム全体を集中管理することができ統一的に制御することができる。
【発明を実施するための最良の形態】
【００１６】
以下、図面に基づいて本発明の実施形態を説明する。
図１は本発明の一実施形態における光増幅中継伝送システムの構成を示している。１が光増幅器、２がコンピュータ端末装置、３が集中制御装置、４が送信機、５が受信機であり、６が送信機４と受信機５との間を複数の光増幅器１を介して結ぶ光ファイバである。送信機４から出力された光信号は、光増幅器１によって増幅され、光ファイバ６の長さに応じて減衰されることを繰り返して受信機に達する。すなわち、送信機４−１から出力された光信号は光ファイバ６によって接続されている光増幅器１−１１、光増幅器１−１２、光増幅器１−１３、光増幅器１−１４を順次経由して、受信機５−１に達する。送信機４−２から出力された光信号も同様にして受信機５−２に達する。７は各光増幅器１とコンピュータ端末装置２とを結ぶ制御信号線であり、８は各コンピュータ端末装置２と集中制御装置３を結ぶ制御信号線である。なお、図１においては、光増幅器１は、制御信号線７によって同一のコンピュータ端末装置２に接続されている２機ずつが同一の建屋に設置されており、コンピュータ端末装置２毎に数十ｋｍずつ離れた４箇所の建屋に設置されているため、２芯の光ファイバによる４段の中継増幅が行われている。
【００１７】
図２に光増幅器１内の詳細な構成を示す。光増幅器１には入力コネクタ１１１と出力コネクタ１１２があり、１．５５μｍ帯に増幅作用を有するエルビウム添加光ファイバ１２、エルビウム添加光ファイバ１２に励起光を供給する１．４８μｍ帯の半導体レーザダイオードモジュール１３、レーザダイオードモジュール１３からの励起光をエルビウム添加光ファイバ１２に合波する波長多重カプラ１４、入力光パワーをモニタするためのフォトダイオードモジュール１５１、出力光パワーをモニタするためのフォトダイオードモジュール１５２、入力光をフォトダイオードモジュール１５１に分岐するための分岐カプラ１６１及び出力光をフォトダイオードモジュール１５２に分岐するための分岐カプラ１６２、反射戻り光による寄生発振を防止するアイソレータ１７１，１７２が存する。そして、光増幅器１内の電子部品、すなわちレーザダイオードモジュール１３、フォトダイオードモジュール１５１、１５２とそれらの制御を行う制御回路１８とは配線材によって接続されており、制御回路１８は制御信号コネクタ１９及び図１記載の制御信号線７を介して図１記載のコンピュータ端末装置２と接続されている。
【００１８】
次に、光増幅中継伝送システムの制御動作の一例を示す。図２において、光増幅器１の入力光の一部が分岐カプラ１６１によって分岐され、フォトダイオードモジュール１５１に導光される。フォトダイオードモジュール１５１において光電変換された後、入力光パワーに比例したモニタ値として、アナログ電気信号が制御回路１８に伝達される。制御回路１８において、アナログ電気信号がデジタル信号に変換された後、制御信号コネクタ１９及び図１記載の制御信号線７を介して、図１記載のコンピュータ端末装置２に伝達される。これにより、光増幅器１の入力光パワーに対応する稼動情報がコンピュータ端末装置２に伝達された。同様にして、光増幅器１からコンピュータ端末装置２に出力光パワー、レーザダイオードモジュール１３の温度、駆動電流値等に対応する光増幅器１の稼動情報が伝達される。  
【００１９】
図１のコンピュータ端末装置２においては、コンピュータ端末装置２にインストールされているプログラム及び上記稼動情報に従って、制御情報を生成し光増幅器１に送信する。例えば、光増幅器１の出力光パワーを所定の設定値に保つプログラムがインストールされており、上記稼動情報から算出される出力光パワーが前記設定値より小さい場合には、インストールされているプログラムによりレーザダイオードモジュール１３の駆動電流値を大きくする制御情報を光増幅器１に送信し、光増幅器１の出力光パワーを前記設定値まで大きくすることとなる。
【００２０】
また、コンピュータ端末装置２は、集中制御装置３と制御信号線８により接続されているため、制御信号線８を介して遠隔地にある集中制御装置３からコンピュータ端末装置２に光増幅器１を制御するためのプログラムをインストールすることにより、各光増幅器１は１つの集中制御装置３によって制御される。すなわち、１つの集中制御装置３によって、遠隔地にある複数のコンピュータ端末装置２が制御され、さらに間接的にコンピュータ端末装置２に接続された多数の光増幅器１が制御される。
【００２１】
なお、集中制御装置３からコンピュータ端末装置２を制御する方法としては、光増幅器１を制御するためのプログラムをコンピュータ端末装置２にインストールすることに限らず、集中制御装置３の表示装置にコンピュータ端末装置２から送信された光増幅器１の稼動情報を表示し、その表示に応じて、集中制御装置３のオペレータが集中制御装置３の表示装置上で光増幅器１の設定値を変更し、その制御情報をコンピュータ端末装置２に送信しても良い。ここで、集中制御装置３の表示装置に光増幅器１の稼動情報を表示する方法として、コンピュータ端末装置２に各光増幅器１から送信された稼動情報を蓄積しておき、集中制御装置３からコンピュータ端末装置２に定期的あるいは所定時に問い合せ命令を送信することにより、コンピュータ端末装置２に蓄積された稼動情報或いはそれを加工して生成した情報をコンピュータ端末装置２から集中制御装置３に送信することにより集中制御装置３が光増幅器１の稼動情報を取得する方法が挙げられる。
【００２２】
上記制御方法において、集中制御装置３から制御情報を送る際に、どのコンピュータ端末装置２に接続されたどの光増幅器１を制御するのかを指定すれば、光増幅中継伝送システム中の任意の、必要であれば全ての光増幅器１を同時に制御することができ、それにより、光増幅中継伝送システムを統一的に制御することができる。
【００２３】
図１においては、集中制御装置３は1つとしたが、集中制御装置３が複数であっても、１つの集中制御装置３によって制御情報毎にコンピュータ端末装置２さらには光増幅器１を制御することができることにかわりがなく、構わないし、むしろ集中制御装置３が複数であることにより、任意の場所から光増幅器１を制御することができるため、より柔軟性な制御が行える。
【００２４】
次に、コンピュータ端末装置２にインストールすることが好適なプログラムとして、図３のフローチャートで示すプログラムを説明する。まず、コンピュータ端末装置２のインターネットプロトコルアドレスを設定する。このアドレスにより集中制御装置３にコンピュータ端末装置２を認識させることができる。そして、コンピュータ端末装置２に各光増幅器１を認識させる。一例としては、コンピュータ端末装置２の全接続端子のうちどの端子に光増幅器１が接続されているか確認させる。その後、各光増幅器１の稼動状況に関し、コンピュータ端末装置２から各光増幅器１に問い合せ命令を送信すること等によって問い合せさせ、各光増幅器１からコンピュータ端末装置２に前記問い合せ命令の回答として稼動状況を送信させる。コンピュータ端末装置２において、各光増幅器１から得られた稼動情報の或る値がコンピュータ端末装置２内で設定された当該値の異常条件を満たす、すなわち異常と設定した範囲内の値である場合、例えば各光増幅器１から得られた稼動情報の１つである入力光パワーが所定値より小さい場合、異常状態であると判断しトラップと呼ばれる異常情報をコンピュータ端末装置２から集中制御装置３に送信する。なお、異常状態でない場合は、コンピュータ端末装置２に各光増幅器１を認識させるステップに戻って繰り返させる。この繰り返しにより、コンピュータ端末装置２が各光増幅器１の稼動情報を定期的あるいは所定時に得ることとなる。
【００２５】
上記プログラムの制御により、集中制御装置において、光増幅中継伝送システム上の全光増幅器の異常を定期的あるいは所定時に監視することができ、全光増幅器の異常情報を認識することができる。また、この場合、コンピュータ端末装置から集中制御装置に送信する情報は光増幅器１が異常である場合のみ発生するため、コンピュータ端末装置から集中制御装置への送信情報量を低減することができる。それ故、集中制御装置には無駄な情報を受信することによる負荷が掛からないし、離間したコンピュータ端末装置と集中制御装置間の制御信号線であるコンピュータネットワークケーブルにも無駄な情報を伝送することによる負荷が掛からない。よって、コンピュータネットワーク構築あるいは維持のコストを低減することができる。なお、図1においては、光増幅器とコンピュータ端末装置間で伝送される制御信号の経路である制御信号線７と、コンピュータ端末装置と集中制御装置間で伝送される制御信号の経路である制御信号線８は別経路であるため、光増幅器１が異常である場合に異常情報が制御信号線８に伝送されるが、制御信号線７の伝送情報量は変わらず光増幅器とコンピュータ端末装置間を伝送される制御信号の伝送品質に影響が及ぶことなく、コンピュータ端末装置による光増幅器の制御を行うことが可能である。
【産業上の利用可能性】
【００２６】
以上説明したように、本発明の光増幅中継伝送システムは、光増幅器、コンピュータ端末装置及び集中制御装置を有する光増幅中継伝送システムであって、１又は複数の前記光増幅器が前記コンピュータ端末装置によって制御され、１又は複数の前記コンピュータ端末装置が前記集中制御装置によって制御されることことにより、遠隔地から１つの制御装置によって多数の光増幅器が制御されるため、多数の光増幅器を統一的に制御することできる光増幅中継伝送システムを実現することについて有用である。  
【図面の簡単な説明】
【００２７】
【図１】本発明に係わる光増幅中継伝送システムの一実施例を示す構成図である。
【図２】本発明に係わる光増幅器の一実施例を示す構成図である。
【図３】本発明に係わるコンピュータ端末装置の制御内容を示すフローチャートである。
【符号の説明】
【００２８】
１、１−１１、１−１２、１−１３、１−１４、１−２１、
１−２２、１−２３、１−２４        ・・・光増幅器
１１１                              ・・・入力コネクタ
１１２                              ・・・出力コネクタ
１２                                ・・・エルビウム添加光ファイバ
１３                                ・・・レーザダイオードモジュール
１４                                ・・・波長多重カプラ
１５１、１５２                      ・・・フォトダイオードモジュール
１６１、１６２                      ・・・分岐カプラ
１７１、１７２                      ・・・アイソレータ
１８                                ・・・制御回路
１９                                ・・・制御信号コネクタ
２、２−１、２−２、２−３、２−４  ・・・コンピュータ端末
３                                  ・・・集中制御装置
４、４−１、４−２                  ・・・光送信機
５、５−１、５−２                  ・・・光受信機
６                                  ・・・光ファイバ
７、８                              ・・・制御信号線
【図１】
2005184111.tif 000003
【図２】
2005184111.tif 000004
【図３】
2005184111.tif 000005